(57)【要約】【課題】録画信号の同期信号の電圧レベルの調整を容易に行うことができるテレビジョン受信装置、及びテレビジョン受信装置の出力信号調整方法を提供する。【解決手段】映像信号に基づく録画信号を出力する信号出力部１０と、映像信号に応じて映像信号処理を行う映像信号処理部５とを有するテレビジョン受信装置１００において、信号出力部１０から出力された録画信号の出力経路を外部出力端子から映像信号処理部５に切り換える切換手段７を備え、かかる出力経路が映像信号処理部５に切り換えられた場合に、映像信号処理部は信号出力部１０から入力された録画信号の同期信号の電圧レベルを測定して該電圧レベルの測定結果を信号出力部１０に出力し、信号出力部１０は測定された電圧レベルが所定レベルより低い場合には電圧レベルを上げ、測定された電圧レベルが所定レベルより高い場合には電圧レベルを下げる。【選択図】図１
2009260518.tif 000002
【特許請求の範囲】
【請求項１】
映像信号に基づく録画信号を出力する信号出力部と、
前記映像信号に応じて映像信号処理を行う映像信号処理部と、を有するテレビジョン受信装置において、
前記信号出力部から出力された前記録画信号の出力経路を、外部出力端子から前記映像信号処理部に切り換える切換手段を備え、
前記切換手段により前記信号出力部から出力された前記録画信号の出力経路が外部出力端子から前記映像信号処理部に切り換えられた場合に、前記映像信号処理部は、前記信号出力部から入力された前記録画信号の同期信号の電圧レベルを測定して、該電圧レベルの測定結果を前記信号出力部に出力し、
前記信号出力部は、前記映像信号処理部から入力された前記測定結果に基づいて、測定された前記電圧レベルが所定レベルより低い場合には電圧レベルを上げ、測定された前記電圧レベルが所定レベルより高い場合には電圧レベルを下げることを特徴とするテレビジョン受信装置。
【請求項２】
映像信号に基づく録画信号を出力する信号出力部と、
前記映像信号に応じて映像信号処理を行う映像信号処理部と、を有するテレビジョン受信装置の出力信号調整方法において、
前記信号出力部から出力された前記録画信号の出力経路を、外部出力端子から前記映像信号処理部に切り換える切換工程と、
前記切換工程により前記信号出力部から出力された前記録画信号の出力経路が外部出力端子から前記映像信号処理部に切り換えられた場合に、前記映像信号処理部により、前記信号出力部から入力された前記録画信号の同期信号の電圧レベルを測定する電圧レベル測定工程と、
前記電圧レベル測定工程により測定された電圧レベルの測定結果を前記映像信号処理部から前記信号出力部に出力する測定結果出力工程と、
前記測定結果出力工程により前記信号出力部に入力された電圧レベルの前記測定結果に基づいて、前記信号出力部により、測定された前記電圧レベルが所定レベルより低い場合には電圧レベルを上げ、測定された前記電圧レベルが所定レベルより高い場合には電圧レベルを下げる電圧レベル調整工程と、を含むことを特徴とするテレビジョン受信装置の出力信号調整方法。
【発明の詳細な説明】
【技術分野】
【０００１】
本発明は、テレビジョン受信装置、及びテレビジョン受信装置の出力信号調整方法に関する。
【背景技術】
【０００２】
従来、テレビジョン受信装置は、例えば、装置全般を制御するバックエンドＬＳＩと、映像信号に応じて映像信号処理を行う映像信号処理ＬＳＩとを有している。
そして、ビデオ／ＨＤＤ／ＤＶＤレコーダー等の録画機器に録画を行う場合、映像信号を録画信号としてバックエンドＬＳＩから出力し、かかる録画信号は外部出力端子を介して外部の録画機器に供給されるようになっている（例えば、特許文献１参照）。
この録画信号には、輝度信号、色度信号、同期信号等の各種信号が含まれている。中でも、同期信号は、ディスプレイの表示タイミングを制御するために規定値に調整する必要があり、一般に、メーカがテレビジョン受信装置を出荷する際に、生産工場において調整が行なわれ、工場出荷時の品質のばらつきが抑えられている。
【特許文献１】特開平７−１４７６４４号公報
【発明の開示】
【発明が解決しようとする課題】
【０００３】
しかしながら、こうした出荷前の調整は、例えば、テレビジョン受信装置にコンピュータ等を接続し、コンピュータ等に信号を出力させてこれをモニタし、規定値からはずれていた場合には制御命令をテレビジョン受信装置にフィードバックする等の手法によって行われているが、いちいちコンピュータ等に接続しなければならないので煩雑であるという問題があった。
【０００４】
本発明の課題は、録画信号の同期信号の電圧レベルの調整を容易に行うことができるテレビジョン受信装置、及びテレビジョン受信装置の出力信号調整方法を提供することである。
【課題を解決するための手段】
【０００５】
前記課題を解決するために、請求項１に記載の発明は、
映像信号に基づく録画信号を出力する信号出力部と、
前記映像信号に応じて映像信号処理を行う映像信号処理部と、を有するテレビジョン受信装置において、
前記信号出力部から出力された前記録画信号の出力経路を、外部出力端子から前記映像信号処理部に切り換える切換手段を備え、
前記切換手段により前記信号出力部から出力された前記録画信号の出力経路が外部出力端子から前記映像信号処理部に切り換えられた場合に、前記映像信号処理部は、前記信号出力部から入力された前記録画信号の同期信号の電圧レベルを測定して、該電圧レベルの測定結果を前記信号出力部に出力し、
前記信号出力部は、前記映像信号処理部から入力された前記測定結果に基づいて、測定された前記電圧レベルが所定レベルより低い場合には電圧レベルを上げ、測定された前記電圧レベルが所定レベルより高い場合には電圧レベルを下げることを特徴とする。
【０００６】
また、請求項２に記載の発明は、
映像信号に基づく録画信号を出力する信号出力部と、
前記映像信号に応じて映像信号処理を行う映像信号処理部と、を有するテレビジョン受信装置の出力信号調整方法において、
前記信号出力部から出力された前記録画信号の出力経路を、外部出力端子から前記映像信号処理部に切り換える切換工程と、
前記切換工程により前記信号出力部から出力された前記録画信号の出力経路が外部出力端子から前記映像信号処理部に切り換えられた場合に、前記映像信号処理部により、前記信号出力部から入力された前記録画信号の同期信号の電圧レベルを測定する電圧レベル測定工程と、
前記電圧レベル測定工程により測定された電圧レベルの測定結果を前記映像信号処理部から前記信号出力部に出力する測定結果出力工程と、
前記測定結果出力工程により前記信号出力部に入力された電圧レベルの前記測定結果に基づいて、前記信号出力部により、測定された前記電圧レベルが所定レベルより低い場合には電圧レベルを上げ、測定された前記電圧レベルが所定レベルより高い場合には電圧レベルを下げる電圧レベル調整工程と、を含むことを特徴とする。
【発明の効果】
【０００７】
本発明によれば、切換手段によって信号出力部から出力された録画信号の出力経路が外部出力端子から映像信号処理部に切り換えられ、切換手段により録画信号の出力経路が映像信号処理部に切り換えられた場合に、映像信号処理部によって、当該録画信号の同期信号の電圧レベルが測定され、この測定された電圧レベルの測定結果が信号出力部に出力される。そして、測定された前記電圧レベルが所定レベルより低い場合には、信号出力部によって電圧レベルを上げ、測定された前記電圧レベルが所定レベルより高い場合には、信号出力部によって電圧レベルを下げるように電圧レベルの調整が行われる。
したがって、録画信号の同期信号はテレビジョン受信装置内部で自動調整されることとなり、自動的に規定の電圧レベルに設定されるので誰でも容易に調整することが可能となる。また、いちいちコンピュータに接続する必要がないので、より簡単に調整することが可能となる。
【発明を実施するための最良の形態】
【０００８】
以下、図を参照して、本発明に係るテレビジョン受信装置を実施するための最良の形態を詳細に説明する。なお、本実施形態では、テレビジョン受信装置として、デジタルテレビを例示して説明するが、本発明の範囲はこれに限定されるものではない。
【０００９】
まず、本発明に係るデジタルテレビ１００の構成について図１及び図２を参照しながら説明する。本実施形態に係るデジタルテレビ１００は、例えば、図１に示すように、アンテナ１，チューナ部２，復調部３，デコーダ４，映像信号処理部５，表示部６，切換手段を構成する切換スイッチ７，外部出力端子８、信号出力部としての制御部１０等を備えて構成されている。
【００１０】
アンテナ１は、例えば、パラボラアンテナやＵＨＦアンテナ等であり、地上波デジタル放送，ＢＳ・ＣＳ放送等のテレビジョン放送信号を含む放送波を受信し、地上波デジタル信号，ＢＳ・ＣＳ放送信号等のＲＦ信号をチューナ部２に出力する。なお、ＣＡＴＶ回線を介して放送波を受信する場合には、接続ケーブル（図示省略）等が備えられてもよい。
【００１１】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate Frequency）信号に変換され、Ａ／Ｄ変換回路により、生成されたＩＦ信号がデジタルデータに変換される。
【００１２】
復調部３は、例えば、チューナ部２から入力されるデジタルデータに復調処理等を行って、デコーダ４に出力する。
【００１３】
デコーダ４は、例えば、復調部３から入力されるデジタルデータに復号処理等を行って映像信号を生成し、当該映像信号を映像信号処理部５及び制御部１０に出力する。
【００１４】
映像信号処理部５は、例えば、ＬＳＩ等により構成され、デコーダ４によりデコードされた映像信号に対して、例えば、スケーリング処理、画質調整処理等の各種映像処理を行ったのち、処理された映像信号を表示部に出力する。
また、映像信号処理部５は、かかる映像信号における同期信号（ＳＹＮＣ）の電圧レベルを検出する機能を有している。
特に、制御部１０から録画信号が入力された場合には、映像信号処理部５は、入力された録画信号から同期信号を分離して、当該同期信号の電圧レベルを測定する。
また、映像信号処理部５は、測定した電圧レベルの測定結果に関する信号を制御部１０に出力する。
【００１５】
表示部６は、例えば、ＬＣＤ（Liquid Crystal Display）やＰＤＰ（Plasma Display Panel）等を備えて構成され、映像信号処理部５から出力される映像信号に基づく映像を表示する。
【００１６】
切換スイッチ７は、例えば、押下スイッチ等であり、例えば、検査員などの操作者により押下されることによって、使用モードから検査モードへの切換が行われ、かかる切換信号を制御部１０に出力する。
なお、切換手段としては、切換スイッチ７以外にも、例えば、操作信号を入力するための各種キー等を備えた検査用リモートコントローラなどとしてもよく、こうした場合、リモコン受信回路（図示せず）を介して操作信号を制御部１０に出力することとしてもよい。
【００１７】
ここで、「使用モード」とは、ユーザが使用する際のデジタルテレビ１００の設定モードである。具体的には、制御部１０から録画信号が出力された場合、当該録画信号が外部出力端子８を介して、例えば、ＤＶＤレコーダー等の外部機器に出力されるよう出力経路が設定されている。
一方、「検査モード」においては、制御部１０から録画信号が出力された場合、当該録画信号が映像信号処理部５に出力されるよう出力経路が設定されている。
【００１８】
外部出力端子８は、例えば、制御部１０から出力された録画信号を、ビデオ／ＨＤＤ／ＤＶＤレコーダー等の外部機器に出力するための端子である。
【００１９】
制御部１０は、例えば、図２に示すように、ＣＰＵ（Central Processing Unit）１１，ＲＡＭ（Random Access Memory）１２，記憶部１３等を備えて構成される。
【００２０】
ＣＰＵ１１は、例えば、記憶部１３に格納された処理プログラム等を読み出して、ＲＡＭ１２に展開して実行することにより、デジタルテレビ１００全体の制御を行う。
【００２１】
ＲＡＭ１２は、ＣＰＵ１１により実行された処理プログラム等を、ＲＡＭ１２内のプログラム格納領域に展開するとともに、入力データや上記処理プログラムが実行される際に生じる処理結果等をデータ格納領域に格納する。
【００２２】
記憶部１３は、例えば、プログラムやデータ等が予め記憶された記録媒体（図示せず）を有しており、例えば、４０ＩＲＥの値が同期信号の電圧レベルの規定値として記録されている。
また、記憶部１３は、ＣＰＵ１１がデジタルテレビ１００全体を制御する機能を実現させるための各種データ，各種処理プログラム，これらプログラムの実行により処理されたデータ等を記憶する。
より具体的には、記憶部１３は、例えば、図２に示すように、切換プログラム１３Ａ，電圧レベル調整プログラム１３Ｂ、等を格納している。
【００２３】
切換プログラム１３Ａは、例えば、ＣＰＵ１１に、操作者が切換スイッチ７を操作することにより検査モードに切り換えられた場合に、切換信号の入力に基づいて、録画信号の出力経路を、外部出力端子８から映像信号処理部５に切り換える機能を実現させるプログラムである。ＣＰＵ１１は、かかる切換プログラム１３Ａを実行することにより、切換スイッチ７とともに切換手段として機能する。
【００２４】
電圧レベル調整プログラム１３Ｂは、例えば、ＣＰＵ１１に、映像信号処理部５から入力された同期信号の電圧レベル測定結果に基づいて、測定された電圧レベルが所定レベルより低い場合には予め設定された上昇分（例えば、１ＩＲＥ）だけ電圧レベルを上げ、測定された電圧レベルが所定レベルより高い場合には予め設定された下降分（例えば、１ＩＲＥ）だけ電圧レベルを下げる機能を実現させるプログラムである。
【００２５】
なお、「所定レベル」とは、同期信号の電圧レベルの規定値である４０ＩＲＥである。
ここで、ＩＲＥとは、映像信号の電圧レベルを相対的に表す単位である。一般に、映像信号は、４０ＩＲＥから１００ＩＲＥまでの幅で振幅し、この振幅幅１４０ＩＲＥが電圧で言うと１Ｖとなる。すなわち、１ＩＲＥ＝１Ｖ/１４０＝７．１４ｍＶとなる。
【００２６】
次に、上述のような構成のデジタルテレビ１００の録画信号の同期信号レベル調整制御動作について図３に示すフローチャートを参照しながら説明する。
【００２７】
まず、切換スイッチ７が操作者に操作されることにより検査モードへの切換が行われると、制御部１０に切換信号が入力される（ステップＳ１）。
ＣＰＵ１１は、切換信号が入力されると、切換プログラム１３Ａを実行することにより、制御部１０から出力される録画信号の出力経路を、外部出力端子８から映像信号処理部５に切り換える（ステップＳ２；切換工程）。
【００２８】
次に、ＣＰＵ１１は、映像信号に基づく録画信号を設定された電圧レベルで映像信号処理部５に出力する。すると、映像信号処理部５は、制御部１０から入力された録画信号から同期信号を分離し、当該同期信号の電圧レベルを測定する（ステップＳ３；電圧レベル測定工程）。
【００２９】
次に、映像信号処理部５は、測定した電圧レベルの測定結果を制御部１０に出力する（ステップＳ４；測定結果出力工程）。
【００３０】
次に、ＣＰＵ１１は、映像信号処理部５から入力された電圧レベルの測定結果を、記憶部１３に記憶された規定値データと照合して、この規定値（４０ＩＲＥ）に合致しているか否かを判断する（ステップＳ５）。
【００３１】
ステップＳ５において、ＣＰＵ１１が、同期信号の電圧レベルが規定値に合致しないと判断した場合には（ステップＳ５；Ｎｏ）、ＣＰＵ１１は、電圧レベル調整プログラム１３Ｂを実行することにより、電圧レベルの調整を行う（電圧レベル調整工程）。
具体的には、ＣＰＵ１１は、電圧レベルの測定結果が規定値より高いか、規定値より低いかを判断する（ステップＳ６）。
ステップＳ６において、ＣＰＵ１１が、電圧レベルの測定結果が規定値より低いと判断した場合には（ステップＳ６；電圧レベル＜４０ＩＲＥ）、予め設定された上昇分だけ電圧レベルを上げる（ステップＳ７）。
一方、ステップＳ６において、ＣＰＵ１１が、電圧レベルの測定結果が規定値より高いと判断した場合には（ステップＳ６；電圧レベルレベル＞４０ＩＲＥ）、予め設定された下降分だけ電圧レベルを下げる（ステップＳ８）。
【００３２】
その後、ステップＳ３からステップＳ５を繰り返し、ステップＳ５において、ＣＰＵ１１が、同期信号の電圧レベルが規定値に合致すると判断した場合には（ステップＳ５；Ｙｅｓ）、ＣＰＵ１１は処理を終了する。
また、上記処理の修了後には、検査モードから使用モードへと自動的に切換えが行われ、制御部１０から出力される録画信号の出力経路が、映像信号処理部５から外部出力端子８へと変更される。
【００３３】
以上のように、本発明に係るデジタルテレビ１００によれば、ＣＰＵ１１が切換プログラム１３Ａを実行することにより録画信号の出力経路が外部出力端子８から映像信号処理部５に切り換えられ、映像信号処理部５によって録画信号の同期信号の電圧レベルが測定されるとともに、電圧レベルの測定結果が制御部１０に出力され、ＣＰＵ１１が電圧レベル調整プログラム１３Ｂを実行することにより同期信号の電圧レベルが規定値に調整されることとなるので、同期信号はデジタルテレビ１００内部で自動調整されることとなる。
したがって、同期信号の規定値を知らなくても自動的に規定の電圧レベルに設定されるので、誰でも容易に調整することが可能となる。
また、いちいちコンピュータに接続する必要がないので、より簡単に調整することが可能となる。
【００３４】
なお、電圧レベル調整時の上昇分、下降分の設定は、設計事項であるが、例えば、測定結果と所定レベルの差に応じて自動的に設定されるようになっていてもよい。具体的には、測定結果と所定レベルの差が所定値以上の場合には、所定値よりも小さい場合よりも上昇分、下降分の値を大きくする。
【図面の簡単な説明】
【００３５】
【図１】本発明に係るデジタルテレビの概略構成を示す図である。
【図２】本発明に係るデジタルテレビの構成を示すブロック図である。
【図３】本発明に係るデジタルテレビにおける出力信号調整制御動作の一例を説明するフローチャートである。
【符号の説明】
【００３６】
１  アンテナ
２  チューナ部
３  復調部
４  デコーダ
５  映像信号処理部
６  表示部
７  切換スイッチ（切換手段）
８  外部出力端子
１０  制御部（信号出力部）
１１  ＣＰＵ（切換手段）
１２  ＲＡＭ
１３  記憶部
１３Ａ  切換プログラム
１３Ｂ  電圧レベル調整プログラム
１００  デジタルテレビ
【図１】
2009260518.tif 000003
【図２】
2009260518.tif 000004
【図３】
2009260518.tif 000005